(57)【要約】【課題】２枚の間仕切パネル同士を連結するに際し、両間仕切パネルの目地巾を正確に管理すること。【解決手段】隣り合う２枚の間仕切パネル１同士を連結する連結金具１０であって、両間仕切パネル１の相対する側端のそれぞれに取付けられる第１と第２の金具１０Ａ、１０Ｂからなり、第１と第２の金具１０Ａ、１０Ｂをボルト止め可能にしたもの。【選択図】  図１
2004346538.tif 000002
【特許請求の範囲】
【請求項１】
隣り合う２枚の間仕切パネル同士を連結する連結金具であって、
両間仕切パネルの相対する側端のそれぞれに取付けられる第１と第２の金具からなり、第１と第２の金具をボルト止め可能にした間仕切パネルの連結金具。
【請求項２】
前記第１の金具が間仕切パネルの側端の前面に配置される係止片を備えるとともに、この係止片に切欠状の係止部を設けてなり、前記第２の金具はボルトを螺合して備え、ボルトの頭を係止片の係止部に係止した状態でボルトを締めることにより、第１の金具と第２の金具をボルト止め可能にする請求項１に記載の間仕切パネルの連結金具。
【請求項３】
前記第１の金具が金具本体に係止片を設けるとともに、前記第２の金具が金具本体にボルト螺合部を設けてなり、各金具本体に対する係止片とボルト螺合部の配置を偏心させてなる請求項２に記載の間仕切パネルの連結金具。
【請求項４】
請求項１〜３のいずれかに記載の連結金具を用いた間仕切パネルの連結構造であって、
連結金具により連結された両間仕切パネルの目地部にガスケットを挿着してなる間仕切パネルの連結構造。
【発明の詳細な説明】
【０００１】
【発明の属する技術分野】
本発明は間仕切パネルの連結金具及び連結構造に関する。
【０００２】
【従来の技術】
パーティション等の間仕切パネルでは、特許文献１に記載の如く、間仕切パネルの上下部の天井と床への取付構造、隣り合う２枚の間仕切パネル同士の連結構造が考案されている。間仕切パネル同士の連結構造は、一方の間仕切パネルの側端に取付けた凸部材を他方の間仕切パネルの側端の凹部に嵌合するものである。
【０００３】
【特許文献１】
特開平９−２３５８０８（［００１４］、図４）
【０００４】
【発明が解決しようとする課題】
特許文献１による間仕切パネルの連結構造は、凸部材を凹部に嵌合するものであり、連結された両間仕切パネルの側端同士が形成する目地巾を正確に管理できない。特に意匠性の高い間仕切パネルでは、上述の目地巾のバラツキが外観を損なう。
【０００５】
本発明の課題は、２枚の間仕切パネル同士を連結するに際し、両間仕切パネルの目地巾を正確に管理することにある。
【０００６】
【課題を解決するための手段】
請求項１の発明は、隣り合う２枚の間仕切パネル同士を連結する連結金具であって、両間仕切パネルの相対する側端のそれぞれに取付けられる第１と第２の金具からなり、第１と第２の金具をボルト止め可能にしたものである。
【０００７】
請求項２の発明は、請求項１の発明において更に、前記第１の金具が間仕切パネルの側端の前面に配置される係止片を備えるとともに、この係止片に切欠状の係止部を設けてなり、前記第２の金具はボルトを螺合して備え、ボルトの頭を係止片の係止部に係止した状態でボルトを締めることにより、第１の金具と第２の金具をボルト止め可能にするものである。
【０００８】
請求項３の発明は、請求項２の発明において更に、前記第１の金具が金具本体に係止片を設けるとともに、前記第２の金具が金具本体にボルト螺合部を設けてなり、各金具本体に対する係止片とボルト螺合部の配置を偏心させてなるようにしたものである。
【０００９】
請求項４の発明は、請求項１〜３のいずれかに記載の連結金具を用いた間仕切パネルの連結構造であって、連結金具により連結された両間仕切パネルの目地部にガスケットを挿着してなるようにしたものである。
【００１０】
【作用】
請求項１の発明によれば下記▲１▼の作用がある。
▲１▼連結金具は、両間仕切パネルの相対する側端のそれぞれに取付けた第１の金具と第２の金具をボルト止めし、２枚の間仕切パネル同士を連結するものであり、連結された両間仕切パネルの目地巾は正確に管理される。
【００１１】
請求項２の発明によれば下記▲２▼の作用がある。
▲２▼一方の間仕切パネルの側端に取付けた第１の金具の係止片の係止部に、他方の間仕切パネルの側端に取付けた第２の金具のボルトの頭を係止した状態でボルトを締めることにより、第１の金具と第２の金具を簡易にボルト止めできる。両間仕切パネルの目地部にスパナを入れてボルト締めできる。
【００１２】
請求項３の発明によれば下記▲３▼の作用がある。
▲３▼第１の金具と第２の金具のそれぞれにおいて、各金具本体に対する係止片とボルト螺合部の配置を偏心させた。両間仕切パネルの相互間に電線等を配線するとき、各金具本体の係止片とボルト螺合部の側傍に配線スペースを確保できる。
【００１３】
請求項４発明によれば下記▲４▼の作用がある。
▲４▼連結された両間仕切パネルの目地部にガスケットを挿着して整然とした外観に仕上げることができる。両間仕切パネルの目地巾が正確に管理されているから、ガスケットの挿着性が良い。
【００１４】
【発明の実施の形態】
図１は間仕切パネルの連結構造を示す縦断面図、図２は図１のＩＩ−ＩＩに沿う断面図、図３は間仕切パネルの連結金具を示し、（Ａ）は第１の金具を示す斜視図、（Ｂ）は第２の金具を示す斜視図である。
【００１５】
図１、図２は、隣り合う２枚の間仕切パネル１、１同士を連結金具１０により連結した連結構造を示すものである。
【００１６】
間仕切パネル１は、枠材２の両側に面材３、４を取着したものである。間仕切パネル１は、上下部を天井と床に取付けられるととも、隣り合う他の間仕切パネル１と上述の連結金具１０により連結されて用いられる。
【００１７】
連結金具１０は、両間仕切パネル１、１の相対する枠材２、２の側端の上下２位置のそれぞれに取付けられる第１の金具１０Ａと第２の金具１０Ｂからなり、第１の金具１０Ａと第２の金具１０Ｂをボルト５０により締結するものである。
【００１８】
第１の金具１０Ａは、図３（Ａ）に示す如く、金具本体１１とスペーサ２１と係止片３１を有する。金具本体１１は、広巾板材の折曲げ体であり、両側の脚部１１Ａと中央の中高部１１Ｂを備える。脚部１１Ａは金具本体１１を枠材２の側端に取付けるビス１２等のためのビス挿通孔１３を備え、中高部１１Ｂは係止片３１を金具本体１１に固定するビス１４等が螺着し得るねじ孔１５を備える。金具本体１１は、第２の金具１０Ｂの金具本体４１としても共用できるように、中高部１１Ｂの巾方向における上記ねじ孔１５の側傍にボルト５０のためのボルト挿通孔１６も備える。スペーサ２１は、金具本体１１の全幅の略１／２巾をなす狭巾板材の平板状態であり、係止片３１を金具本体１１に固定するビス１４等のためのビス挿通孔２２を備える。係止片３１は、金具本体１１の全巾の略１／２巾をなす、スペーサ２１と同様の狭巾板材の逆Ｕ字状体であり、逆Ｕ字の一側にビス１４等のためのねじ孔３２を備え、逆Ｕ字の他側の下向き先端部に下向きに開いた切欠凹部を形成するアール切欠状係止部３３を備える。係止片３１の正面視で、一側のねじ孔３２と他側の係止部３３の下向きに開いた切欠凹部はＵ字間隙を挟んで同軸配置され、係止片３１を金具本体１１に固定するビス１４等を係止片３１の正面側から係止部３３の切欠凹部を通してねじ孔３２に螺着操作可能にする。
【００１９】
従って、第１の金具１０Ａは、金具本体１１の中高部１１Ｂにスペーサ２１を介して係止片３１を添設し、ビス１４等により係止片３１、スペーサ２１を中高部１１Ｂのねじ孔１５に共締めする。そして、金具本体１１の脚部１１Ａを間仕切パネル１の枠材２の側端にビス１２等により固定する。これにより、第１の金具１０Ａの係止片３１が間仕切パネル１の枠材２の側端の前面に配置される（図１、図２）。
【００２０】
第２の金具１０Ｂは、図３（Ｂ）に示す如く、第１の金具１０Ａの金具本体１１と共用される金具本体４１（脚部１１Ａ、中高部１１Ｂ）を有し、金具本体４１の中高部１１Ｂにおけるボルト挿通孔１６まわりの裏面に裏ナット４２を溶接し、この裏ナット４２をボルト５０のためのボルト螺合部４２Ａとする。
【００２１】
従って、第２の金具１０Ｂは、金具本体４１の中高部１１Ｂに設けたボルト螺合部４２にボルト５０を螺合する。そして、金具本体４１の脚部１１Ａを間仕切パネル１の枠材２の側端にビス１２等により固定する。このとき、第２の金具１０Ｂの金具本体４１に設けたボルト螺合部４２Ａ及びボルト５０は、第１の金具１０Ａの金具本体１１に固定してある係止片３１の係止部３３と同軸上に配置される。これにより、第２の金具１０Ｂの側に螺合してあるボルト５０の頭５１を、第１の金具１０Ａの側の係止片３１のＵ字間隙に入れて係止部３３に係止した状態で、ボルト５０を締めることにより、第１の金具１０Ａと第２の金具１０Ｂをボルト止めできる。
【００２２】
尚、連結金具１０にあっては、第１の金具１０Ａの金具本体１１に対する係止片３１と、第２の金具１０Ｂの金具本体４１に対するボルト螺合部４２Ａ（裏ナット４２）の配置を、金具本体１１、４１の巾方向の中心線に対し一方側に偏心させてある。連結金具１０により連結された両間仕切パネル１、１の相互間で、金具本体１１、４１の巾方向の他方側に電線等の配線スペースＳを確保できる。
【００２３】
従って、連結金具１０による両間仕切パネル１、１同士の連結作業は以下の手順でなされる。
【００２４】
（１）一方の間仕切パネル１の枠材２の側端に第１の金具１０Ａを取付け、他方の間仕切パネル１の枠材２の側端に第２の金具１０Ｂを取付ける。
【００２５】
（２）両間仕切パネル１、１を目地部６０を介して間仕切ライン上に隣接設置し、それら間仕切パネル１、１の上述（１）の側端同士を突き合せる。このとき、第１の金具１０Ｂの側のボルト５０の頭５１を第１の金具１０Ａの側の係止片３１のＵ字間隙に入れて係止部３３に係止可能にする
【００２６】
（３）両間仕切パネル１、１の目地部６０から差し入れたスパナをボルト５０の頭５１に係合し、ボルト５０を締めることにより、第１の金具１０Ａと第２の金具１０Ｂをボルト止めする。
【００２７】
（４）両間仕切パネル１、１の両側の目地部６０にガスケット６１を挿着して仕上げする。
【００２８】
尚、各間仕切パネル１の枠材２の側端に対する連結金具１０（第１の金具１０Ａ又は第２の金具１０Ｂ）の取付位置は、上部と下部の各１ヶ所が適当である。
【００２９】
また、間仕切パネル１の枠材２の側端に取付けた第１の金具１０Ａにおいて、係止片３１の係止部３３の切欠凹部が開く向きは、下向きに限らず、上向き等でも良い。
【００３０】
本実施形態によれば以下の作用がある。
▲１▼連結金具１０は、両間仕切パネル１の相対する側端のそれぞれに取付けた第１の金具１０Ａと第２の金具１０Ｂをボルト止めし、２枚の間仕切パネル１同士を連結するものであり、連結された両間仕切パネル１の目地巾は正確に管理される。
【００３１】
▲２▼一方の間仕切パネル１の側端に取付けた第１の金具１０Ａの係止片３１の係止部３３に、他方の間仕切パネル１の側端に取付けた第２の金具１０Ｂのボルト５０の頭５１を係止した状態でボルト５０を締めることにより、第１の金具１０Ａと第２の金具１０Ｂを簡易にボルト止めできる。両間仕切パネル１の目地部６０にスパナを入れてボルト締めできる。
【００３２】
▲３▼第１の金具１０Ａと第２の金具１０Ｂのそれぞれにおいて、各金具本体１１、４１に対する係止片３１とボルト螺合部４２Ａの配置を偏心させた。両間仕切パネル１の相互間に電線等を配線するとき、各金具本体１１、４１の係止片３１とボルト螺合部４２Ａの側傍に配線スペースＳを確保できる。
【００３３】
▲４▼連結された両間仕切パネル１の目地部６０にガスケット６１を挿着して整然とした外観に仕上げることができる。両間仕切パネル１の目地巾が正確に管理されているから、ガスケット６１の挿着性が良い。
【００３４】
以上、本発明の実施の形態を図面により詳述したが、本発明の具体的な構成はこの実施の形態に限られるものではなく、本発明の要旨を逸脱しない範囲の設計の変更等があっても本発明に含まれる。
【００３５】
【発明の効果】
本発明によれば、２枚の間仕切パネル同士を連結するに際し、両間仕切パネルの目地巾を正確に管理することができる。
【図面の簡単な説明】
【図１】図１は間仕切パネルの連結構造を示す縦断面図である。
【図２】図２は図１のＩＩ−ＩＩに沿う断面図である。
【図３】図３は間仕切パネルの連結金具を示し、（Ａ）は第１の金具を示す斜視図、（Ｂ）は第２の金具を示す斜視図である。
【符号の説明】
１  間仕切パネル
１０  連結金具
１０Ａ  第１の金具
１０Ｂ  第２の金具
１１  金具本体
３１  係止片
３３  係止部
４１  金具本体
４２Ａ  ボルト螺合部
５０  ボルト
５１  ボルトの頭
６０  目地部
６１  ガスケット
【図１】
2004346538.tif 000003
【図２】
2004346538.tif 000004
【図３】
2004346538.tif 000005